(57)【要約】      （修正有）【課題】排水処理工事の現場で、排水桝に突設される配管接続部から該排水桝の独立系内で、省力的に閉塞蓋を抜取りできる蓋抜取り治具を提供する。【解決手段】本蓋抜取り治具Ａは、閉塞蓋８の有底筒状の蓋本体６の内周面に緊結体９の盤体１１に設けた伸縮ピン１７と固定ピン１９の両円錐キリ１６、１８が突き刺され、その状態で支持枠体２４に立設された受け金２８の貫通孔に盤体１１から延出されたボルト２３が挿通され、該ボルト２３のネジ軸に螺着した長ナット３２の締結により、支持枠体２４の下面の両支持座２７が桝本体３の外周面に着座し、該桝本体３の独立系内でネジ軸２３が引き抜かれるとともに、緊結体９と一体の閉塞蓋８が流入口より抜き取られる。【選択図】図１
0003159180.tif 000002
【実用新案登録請求の範囲】
【請求項１】
底部に排水口を開口した円筒状の桝本体と、該桝本体の内部排水口の上位で、該内部の周面に流入口を連通して外周面に突出する複数個の配管接続部と、各配管接続部の流入口に内嵌される横向き有底筒状の蓋本体と該蓋本体の突端に周設されるフランジとで構成される閉塞蓋とから成る排水枡に使用される蓋抜取り治具において、
前記蓋本体の内部に収められる盤体と、該盤体の盤面の直径方向の一方の周面に伸縮自在に突設される伸縮ピンと、該直径方向の他方の周部で該伸縮ピンに対向配設される固定ピンと、該盤体の中心部で水平軸心の一端が固定され、その他端が外面に所要長突出されたボルトと、該盤体の外面側盤面の下方に接合されるストッパーとで構成される緊結体と、前記ネジ軸を貫通させる横向き富士山形の受け金本体と該受け金本体の両下端に張り出す止め座とで構成される受け金と、該受け金の外面から前記ボルトに羅着されるナットと、前記受け金の止め座が固着される枠縁と該枠縁内に形成されて前記配管接続部が収蔵される空間部と、該枠縁の下面で桝本体の外周面に着座される円弧状の支持座とで構成される支持枠体とから成り、前記排水桝の配管接続部における閉塞蓋を緊結体で抜き取ることを特徴とする蓋抜取り治具。
【請求項２】
前記支持枠体の両支持座の一方及び／又は他方に出入り自在な位置決め調整体が螺設されて成る請求項１記載の蓋抜取り治具。
【考案の詳細な説明】
【技術分野】
【０００１】
本考案は、排水処理工事における排水桝の細部である配管接続部に流入管を取り付ける際に、前記排水桝の配管接続部の流入口に嵌着された閉塞蓋を抜取る蓋抜取り治具に関する。
【背景技術】
【０００２】
従来、屋内および床下に設置され、インバート部を介して連通された流入口および排水口と、掃除口とを備えた排水桝に開閉蓋を取り付けることは、公知となっている（特許文献1を参照）。
この公知技術は、排水桝の内部を掃除する際には、突起の間にドライバなどを通し、このドライバなどを開閉蓋の周方向に沿って回転させることにより、雄ねじ部と雌ねじ部との螺合を弛めて開閉蓋を掃除口から取り外すものである。
【０００３】
現在、排水処理工事における排水桝の細部である配管接続部に流入管を取り付ける際に、各配管接続部の流入口に有底筒状の蓋本体とフランジとから成る閉塞蓋が内嵌されて成る排水桝においては、前記閉塞蓋が水密的に内嵌されるものであるため、必要個所の閉塞蓋を抜き取って所要の流入管を流入口に取り付ける場合に、マイナスドライバーのネジ回し部を配管接続部の突端と閉塞蓋のフランジの内面との間に挿し込み、両者間をこじ開けて該閉塞蓋を抜き取っていたものであり、結果的に排水桝への流入管の取り付けに多くの手間をようすることから、簡単に閉塞蓋を抜取りできる治具の開発が要望されていたものである。
【先行技術文献】
【特許文献】
【０００４】
【特許文献１】特開２００３−１３８６３９号公報
【考案の開示】
【考案が解決しようとする課題】
【０００５】
本考案は、排水処理工事の現場で、排水桝に突設される配管接続部から省力的に閉塞蓋を抜取りできる蓋抜取り治具を提供するものである。
【課題を解決するための手段】
【０００６】
本考案の請求項１に記載した蓋抜取り治具は、底部に排水口を開口した円筒状の桝本体と、該桝本体の内部排水口の上位で、該内部の周面に流入口を連通して外周面に突出する複数個の配管接続部と、各配管接続部の流入に内嵌される横向き有底筒状の蓋本体と該蓋本体の突端に周設されるフランジとで構成される閉塞蓋とから成る排水桝に使用される蓋抜取り治具において、
前記蓋本体の内部に収められる盤体と、該盤体の盤面の直径方向の一方の周部に伸縮自在に突設される伸縮ピンと、該直径方向の他方の周部で該伸縮ピンに対向配設される固定ピンと、該盤体の中心部で水平軸心の一端が固定され、その他端が外面に所要長突出されたボルトと、該盤体の外面側盤面の下方に接続されるストッパーとで構成される緊結体と、前記ネジ軸を貫通させる横向き富士山形の受け金本体と該受け金本体の両下端に張り出す止め座とで構成される受け金と、該受け金の外面から前記ボルトのネジ軸に螺着されるナットと、前記受け金の止め座が固着される枠縁と、該枠縁内に形成されて前記配管接続部が収蔵される空間部と、該枠縁の下面で桝本体の外周面に着座される円弧状の支持座とで構成される支持枠体とから成り、前記排水桝の配管接続部における閉塞蓋を緊結体で抜き取ることを特徴とするものである。
請求項２に記載した考案は、請求項１に記載した蓋抜取り治具において、
前記支持枠体の両支持座の一方及び／又は他方に出入自在な位置決め調整体が螺設されて成る。
【考案の効果】
【０００７】
本考案の蓋抜取り治具は、排水桝の独立系内で、その周面に突出する配管接続部から閉塞蓋を抜き取るものであるから、既設の排水ラインに無用な外力を負荷することなく、また、閉塞蓋への緊結体の取り付けもスパナの操作で簡易になされ、しかも、抜取りには緊結体から支持枠体に立設された受け金の貫通孔を経て延出されるネジ軸に螺着される長ナットの回転による軽微な労力で省力的になされるから、排水処理工事にとって極めて有用である。
【図面の簡単な説明】
【０００８】
【図１】本考案の蓋抜取り治具の使用状態の説明図である。
【図２】本考案の構成部材の緊結体の説明図で、（ａ）はその正面図、（ｂ）はネジ軸を一部切除した（ａ）の左側面図である。
【図３】本考案の構成部材の支持枠体に受け金を立設した状態の斜視図である。
【図４】本考案の使用対象となる排水桝１の要部を破断した正面図である。
【考案を実施するための形態】
【０００９】
本考案の蓋抜取り治具Ａの一実施例による具体的な説明の前に、図４に示すように、排水処理工事の作業対象となる排水桝１の構成を説明すると、排水桝１は底部に排水口２を開口した円筒状の桝本体３と、該桝本体３の内部の排水口２の上位で、内部の周面に流入口４を連通して外周面に突出する複数個（３個）の配管接続部５と、各配管接続部５の流入口４に内嵌される横向き有底筒状の蓋本体６と該蓋本体６の突端の外周に周設されるフランジ７とで構成される閉塞蓋８と、桝本体３の上端に被覆される蓋（図外）とから成り、この排水桝１の設置作業は、下水本管（図外）に接続される排水管（図外）が該排水桝１の排水口２に接続されて生活排水等の排水ラインに何れかの配管接続部５を合致させて排水桝１の姿勢が位置決めされ、合致した配管接続部５に内嵌された閉塞蓋８を抜き取るものであるが、この抜き取り作業に本考案の蓋抜取り治具Ａが使用されるものである。
【００１０】
本考案の蓋抜取り治具Ａの一実施例を添付図面に基づいて、以下に説明する。
図１に示すように、本考案の蓋抜取り治具Ａは、排水桝１の配管接続部５の流入口４に内嵌された閉塞蓋８の蓋本体６の内部に収められる緊結体９と、図３に示す四周枠を形成する枠縁２５と該枠縁２５の内部に形成されて前記配管接続部５が収蔵される空間部２６と該枠縁２５の何れか一対の下面に形成される円弧状の支持座２７とから成る支持枠体２４と、受け金本体２９の両下端に張り出された止め座３０においてビス止めにより立設され、受け金本体２９の頂面には貫通孔３１が貫設されて成る富士山形の受け金２８と、図２に示す盤体１１の中央部一面で前記凹部１２に跨設された平面視山形の支持座２０に溶着されたナット２２に螺着されて固定され、外面に所要長突出されたネジ軸を有するボルト２３とから構成される。
【００１１】
本考案の蓋抜取り治具Ａの各構成部材を順次に説明すると、図２（ａ）に示す緊結体９は、閉塞蓋８の蓋本体６の内部に緊結されるもので、円盤の一部に欠切部１０を設けた盤体１１と、該盤体１１に欠切部１０から所要幅、所要深さに凹設された凹部１２と、該凹部１２跨設される山形の受け座１３と、該受け座１３に溶着されたナット１４に前記凹部１２の底方向から螺着されたボルト１５の軸端が鋭角な円錐キリ１６に形成された伸縮ピン１７と、該盤体１１の直径方向の他方の周部で前記伸縮ピン１７に対向して周面から圧入され、突端が鋭角な円錐キリ１８に形成された固定ピン１９と、前記盤体１１の中央部一面で前記凹部１２に跨設された平面視山形の支持座２０と、前記盤体１１の下部他面に前記盤体１１の外周からはみ出す広幅で接合されたストッパー２１とからなる。
【００１２】
図２（ｂ）に示すように、前記支持座２０に溶着されたナット２２にその水平軸心の一端（ボルトの首部）が螺着されて固定され、その他端のネジ軸が外面に所要長突出されたボルト２３とから成り、前記閉塞蓋８の抜取り台座となる支持枠体２４は、図３に示すように、四周枠を形成する枠縁２５と、該枠縁２５の内部に形成されて前記配管接続部５が収蔵される空間部２６と、前期枠縁２５の何れか一対の下面に形成される円弧状の支持座２７とから成り、前記枠縁２５の上面、本実施例では両支持座２７の配設される上面に富士山形の受け金２８が受け金本体２９の両下端に張り出された止め座３０においてビス止めにより立設され、受け金本体２９の頂面には貫通孔３１が貫設されて成る。
【００１３】
本考案の構成部材である緊結体９の盤体１１にその欠切部１０から凹設される凹部１２は、一様幅のものから、伸縮ピン１７のボルトヘッドの近傍をスパナ掛けに都合のよい広幅にするものなどであり、また、支持枠体２４の枠縁２５の上面に立設される受け金２８の向きは、枠縁２５の下面に形成される両支持座２７の方向に整列するものに限定するものでなく、これと直角な方向で接合するもよしとするものである。
さらに、材質的には盤体１１も支持枠体２４もアルミ合金製や肉太の硬質合成樹脂材（ＰＣ材等）などのほか、木質材に薄肉金属板を被覆したものでも提供される。
なお、支持座２７において、支持枠体２４の姿勢（垂直度等）のバランスを図るために螺設した位置決め調整体３４は、適宜に加工したボルトヘッドを露出したもののほか、硬質ゴム等の被覆材を伴ったものなどでも提供される。
【００１４】
次に、本考案の蓋抜取り治具Ａの操作動作を添付図面に基づいて、以下に説明する。
このような構成部材から成る本考案の蓋抜取り治具Ａは、図１に示すように、排水処理工事の現場で排水桝１の配管接続部５の流入口４に内嵌された閉塞蓋８の蓋本体６の内部に緊結体９が収められる。該緊結体９は、その伸縮ピン１７がその突端の円錐キリ１６を下げた状態であり、かつ、ボルト２３のネジ軸が支持枠体２４と一体の受け金２８の受け金本体２９の貫通孔３１に貫通され、この状態で前記支持枠体２４の両支持座２７を排水桝１の桝本体３の外周面に着座させ、さらに、前記緊結体９のストッパー２１を閉塞蓋８のフランジ７の外面に当接して緊結体９が位置決めされる。
この位置で伸縮ピン１７のボルトヘッドを回転（右ネジであれば右回転）して円錐キリ１６を閉塞蓋８の蓋本体６の内面に食い込ませると、その反力で伸縮ピン１７と対向配設された固定ピン１９の円錐キリ１８も閉塞蓋８の蓋本体６の内面に食い込む。
両円錐キリ１６、１８が十分食い込んだ時点でボルト２３のネジ軸に螺着された長ナット３２を回転してねじ込むと、受け金２８を介して支持枠体２４が桝本体３の外周に支持座２７において圧着され、さらに長ナット３２を回転すると、排水桝１の独立系内での作用反作用の関係でボルト２３のネジ軸が右方へ引き込まれ、前記ボルト２３と一体の緊結体９も右方へ引き込まれ、当然に緊結体９と一体となった閉塞蓋８も右方へ引き込まれるものであり、ついにはＯリング３３の摩擦力に抗して閉塞蓋８は流入口４から完全に抜き取られるものである。
【００１５】
なお、桝本体３の外周面に対して何れか一方の支持座２７の接触度合いのバランスが悪い場合には、図３の仮想線で示したように、ボルトなどの位置決め調整体３４を支持座２７に出入自在に螺設して支持枠体２４の垂直度等のバランスを図ることもできるものである。
本実施例で示したものは、適宜に加工したボルトヘッドを露出したものであるが、桝本体３の外周面を損傷させないように、硬質ゴム等の被覆材を伴った位置決め調整体３４で対応されえることは勿論である。
【００１６】
このように本考案の蓋抜取り治具Ａは、閉塞蓋８の抜取り作業が排水桝１と別個の系に作用点をもうけるものではなく、排水桝１の独立系内でその配管接続部５の流入口４に内嵌された閉塞蓋８を抜き取るものであるから、排水桝１に接続された排水管や既設の排水ラインに無用な外力を負荷することなく、しかも、緊結体９による閉塞蓋への緊結も簡易である上、その抜取りもボルト２３に螺着された長ナット３２を回転する軽微な労力であされるから、排水処理工事にとって極めて有用である。
【産業上の利用可能性】
【００１７】
本考案の蓋抜取り治具は、排水処理工事において、排水桝の配管接続部における閉塞蓋への緊結体の取り付けが簡易である上、閉塞蓋の抜取り作業も軽微な労力で省力的になされるから、排水処理業界に広く普及利用され得るものである。
【符号の説明】
【００１８】
１  排水桝
２  排水口
３  桝本体
４  流入口
５  配管接続部
６  蓋本体
７  フランジ
８  閉塞蓋
９  緊結体
１０  欠切部
１１  盤体
１２  凹部
１３  受け座
１４  ナット
１５  ボルト
１６  円錐キリ
１７  伸縮ピン
１８  円錐キリ
１９  固定ピン
２０  支持座
２１  ストッパー
２２  ナット
２３  ボルト
２４  支持枠体
２５  枠縁
２６  空間部
２７  支持座
２８  受け金
２９  受け金本体
３０  止め座
３１  貫通孔
３２  長ナット
３３  Ｏリング
３４  位置決め調整体
Ａ  蓋抜取り治具
【図１】
0003159180.tif 000003
【図２】
0003159180.tif 000004
【図３】
0003159180.tif 000005
【図４】
0003159180.tif 000006
【手続補正書】
【提出日】平成22年2月26日(2010.2.26)
【手続補正１】
【補正対象書類名】実用新案登録請求の範囲
【補正対象項目名】全文
【補正方法】変更
【補正の内容】
【実用新案登録請求の範囲】
【請求項１】
底部に排水口を開口した円筒状の桝本体と、該桝本体の内部排水口の上位で、内部の周面に流入口を連通して外周面に突出する複数個の配管接続部と、各配管接続部の流入口に内嵌される横向き有底筒状の蓋本体と該蓋本体の突端に周設されるフランジとで構成される閉塞蓋とから成る排水桝に使用される蓋抜取り治具において、
前記蓋本体の内部に収められる盤体と、該盤体の盤面の直径方向の一方の周面に伸縮自在に突設される伸縮ピンと、直径方向の他方の周部で前記伸縮ピンに対向配設される固定ピンと、前記盤体の中心部で水平軸心の一端が固定され、その他端が外面に所要長突出されたボルトと、前記盤体の外面側盤面の下方に接合されるストッパーとで構成される緊結体と、前記ボルトのネジ軸を貫通させる横向き富士山形の受け金本体と該受け金本体の両下端に張り出す止め座とで構成される受け金と、該受け金の外面から前記ボルトのネジ軸に螺着されるナットと、前記受け金の止め座が固着される枠縁と該枠縁内に形成されて前記配管接続部が収蔵される空間部と、前記枠縁の下面で桝本体の外周面に着座される円弧状の支持座とで構成される支持枠体とから成り、前記排水桝の配管接続部における閉塞蓋を緊結体で抜き取ることを特徴とする蓋抜取り治具。
【請求項２】
前記支持枠体の両支持座の一方及び／又は他方に出入り自在な位置決め調整体が螺設されて成る請求項１記載の蓋抜取り治具。
【手続補正２】
【補正対象書類名】明細書
【補正対象項目名】０００６
【補正方法】変更
【補正の内容】
【０００６】
本考案の請求項１に記載した蓋抜取り治具は、底部に排水口を開口した円筒状の桝本体と、該桝本体の内部排水口の上位で、内部の周面に流入口を連通して外周面に突出する複数個の配管接続部と、各配管接続部の流入口に内嵌される横向き有底筒状の蓋本体と該蓋本体の突端に周設されるフランジとで構成される閉塞蓋とから成る排水桝に使用される蓋抜取り治具において、
前記蓋本体の内部に収められる盤体と、該盤体の盤面の直径方向の一方の周部に伸縮自在に突設される伸縮ピンと、直径方向の他方の周部で前記伸縮ピンに対向配設される固定ピンと、前記盤体の中心部で水平軸心の一端が固定され、その他端が外面に所要長突出されたボルトと、前記盤体の外面側盤面の下方に接続されるストッパーとで構成される緊結体と、前記ボルトのネジ軸を貫通させる横向き富士山形の受け金本体と該受け金本体の両下端に張り出す止め座とで構成される受け金と、該受け金の外面から前記ボルトのネジ軸に螺着されるナットと、前記受け金の止め座が固着される枠縁と、該枠縁内に形成されて前記配管接続部が収蔵される空間部と、前記枠縁の下面で桝本体の外周面に着座される円弧状の支持座とで構成される支持枠体とから成り、前記排水桝の配管接続部における閉塞蓋を緊結体で抜き取ることを特徴とするものである。
請求項２に記載した考案は、請求項１に記載した蓋抜取り治具において、
前記支持枠体の両支持座の一方及び／又は他方に出入自在な位置決め調整体が螺設されて成る。